(57)【要約】【課題】  永久磁石の磁力線の効果を高めやすい構造の強壮健康リングを提供する。【解決手段】  装着リング１１中に、装着リング１１に沿って複数個の永久磁石１２を埋設してなる強壮健康リング１０である。  永久磁石１２が球形とされ、装着リング１１の外周面１３が、埋設した球形の永久磁石１２の部分で、永久磁石１２を覆うように半球状に膨出１４している。【選択図】  図１
0003107645.tif 000002
【実用新案登録請求の範囲】
【請求項１】
装着リング１１中に、装着リング１１に沿って複数個の永久磁石１２を埋設してなる強壮健康リング１０において、
前記永久磁石１２が球形とされ、前記装着リング１１の外周面１３が、埋設した球形の永久磁石１２の部分で、永久磁石１２を覆うように半球状に膨出１４していることを特徴とする強壮健康リング。
【請求項２】
前記球形の永久磁石１２の中心Ｏが、断面矩形の装着リング１１の外周面１３の近くに配置されている請求項１に記載の強壮健康リング。
【考案の詳細な説明】
【技術分野】
【０００１】
本考案は、男性性器に装着して使用する強壮健康リングに関する。
【背景技術】
【０００２】
従来、男性性器に装着して使用する強壮健康リングとして、図４、５に示したようなものが知られている。弾力性に富んだ合成ゴムなどの材料で成形された装着リング３１中に、装着リング３１に沿って複数個の永久磁石３２を埋設した構成となっている。この場合、永久磁石３２は、円柱状のものが使用され、中心軸ｃの方向で着磁されている。各永久磁石３２は、装着リング３１に対して中心軸ｃを放射方向に向けて、装着リング３１に沿って略等間隔で配置され、埋設されている。永久磁石３２から出る磁力線が血流に作用して血行を良くし、もって強壮効果があるとされている。
【考案の開示】
【考案が解決しようとする課題】
【０００３】
前記のごとくの強壮健康リングにおいて、永久磁石の磁力線による効果を高める手段として、永久磁石の体積を増す場合があるが、円柱状の永久磁石の径を大きくしたり、高さを高くすると、この永久磁石を覆っている装着リングに、肉薄の部分が生じがちであり、装着リングとしての弾力や、強度が不足するに至るという問題点があった。また、強度を確保するために、装着リングの肉厚を厚くすると、適度な伸縮性が失われて、使用しにくいものにならざるを得なかった。
【０００４】
本考案は、かかる問題点に鑑みてなされたもので、永久磁石の磁力線の効果を高めやすい構造の強壮健康リングを提供することを目的としている。
【課題を解決するための手段】
【０００５】
このような目的のもとになされた本考案のうち、請求項１の強壮健康リングは、装着リング中に、装着リングに沿って複数個の永久磁石を埋設してなる強壮健康リングにおいて、
前記永久磁石が球形とされ、前記装着リングの外周面が、埋設した球形の永久磁石の部分で、永久磁石を覆うように半球状に膨出していることを特徴としている。
【０００６】
また、請求項２の強壮健康リングは、前記請求項１における球形の永久磁石の中心が、断面矩形の装着リングの外周面の近くに配置されていることを特徴としている。
【考案の効果】
【０００７】
本考案の請求項１の強壮健康リングによれば、永久磁石を球形としたので、径の増加による体積増大効果が大きく（Ｖ＝４πｒ（３）／３、Ｖ：体積、ｒ：半径）、永久磁石の径の僅かな増加で体積を大きく増加させることができる。このため、磁力線の増大による永久磁石の寸法の増大を抑えて、装着リングに肉薄の部分を生じないようにでき、弾力不足、強度不足を避けることができる。また、装着リングの外周を永久磁石の部分で半球状に膨出させたので、装着リング全体としての肉厚の増大も避けることができ、装着リングに十分な伸縮性を確保することができる。更に、装着リングの外周面が、球形の永久磁石を覆うように半球状に膨出しており、角部の形成がないので、装着時の違和感を少なくすることができる。
【０００８】
請求項２の強壮健康リングによれば、球状の永久磁石の中心が断面矩形の装着リングの外周面の近くに配置されているので、装着リングの内周側に適度の肉厚を確保すると共に、永久磁石の埋設による凹凸を無くし、装着感を向上することができる。
【考案を実施するための最良の形態】
【０００９】
以下、本考案の実施の形態を、添付の図１〜３を参照して説明する。
【００１０】
図１〜３に示した実施形態の強壮健康リング１０も、前記従来のものと同様に、装着リング１１と、複数個（図は８個の場合を示した）の永久磁石１２で構成されている。装着リング１１は、シリコンゴムで断面略矩形に成形されており、伸縮性と弾力性に富んだものとされている。成形に際して複数個の永久磁石１２を円周方向に略等間隔で配置して埋め込んでいる。
【００１１】
永久磁石１２は、球形のフェライト磁石が用いられている。勿論、アルニコ磁石など、他の材質の永久磁石でも良い。球形とした永久磁石１２は、その中心Ｏが、図２に示したように、装着リング１１の外周面１３の近くに配置されている。このため、装着リング１１の外周面１３は、各永久磁石１２の部分で、外側に半球状に膨出する膨出部１４とされ、膨出部１４が球形の永久磁石１２の外側半分を覆っている。
【００１２】
強壮健康リング１０を上記のように構成した結果、永久磁石１２の径を僅かに大きくするだけで、その体積を径の３乗に比例して増大させることができ、磁力線を十分に増大させたものとすることができる。永久磁石１２の体積の増加に比べて、その径は僅かに増すだけであるので、装着リング１１の肉厚を犠牲にする必要はなく、弾力性が不足したり、伸縮の際の強度が弱くなるのを避けることができる。
【００１３】
一方、装着リング１１は、永久磁石１２の部分で外周面１３に膨出部１４が形成されるだけで、その他の部分は内周面１５から外周面１３までの肉厚がいたずらに厚くならない。このため、装着リング１１としての伸縮性を損なわないようにすることができる。
【００１４】
また、永久磁石１２の中心Ｏを装着リング１１の外周面１３の近くに配置したので、永久磁石１２の内側部分１６（図２）の肉厚も適度に確保することができる。そして、装着リング１１の内周面１５に、永久磁石１２の埋設による凹凸の形成をなくすことができる。このため、男性性器への装着感を向上することができる。
【００１５】
前記膨出部１４は、半球状であって角部の形成はないので、装着時の違和感も少なくすることができる。
【００１６】
以上、実施形態について説明したが、装着リング１１および永久磁石１２の材質は一例であって、他の材料を用いても同様に実施することができる。また、永久磁石１２の埋設個数も変更することができる。
【図面の簡単な説明】
【００１７】
【図１】本考案の実施形態の強壮健康リングの斜視図である。
【図２】図１のＡ−Ａ線に沿った拡大断面図である。
【図３】本考案の実施形態の強壮健康リングの横断面図である。
【図４】従来の強壮健康リングの横断面図である。
【図５】図４のＢ−Ｂ線に沿った拡大断面図である。
【符号の説明】
【００１８】
１０        強壮健康リング
１１        装着リング
１２        球状の永久磁石
１３        外周面
１４        膨出部
１５        内周面
１６        内側部分
３１        装着リング
３２        円柱状の永久磁石
【図１】
0003107645.tif 000003
【図２】
0003107645.tif 000004
【図３】
0003107645.tif 000005
【図４】
0003107645.tif 000006
【図５】
0003107645.tif 000007